(57)【要約】    【課題】  妊婦をリラックス状態や意識コントロール状態に導く効果が大きく、ソフロロジー法等による分娩の容易化が格段に促進され、さらにコンピュータによる自動制御が可能な分娩サポートシステムの提供を目的とするものである。    【解決手段】  本発明の分娩サポートシステムは、妊婦の分娩監視情報を取得する情報取得手段と、取得した分娩監視情報から分娩の進行度合いを解析する進行解析手段と、分娩室に音響を発生する音響出力手段と、分娩台上面に映像を投影する映像出力手段と、分娩台の左右側面を照明する照明出力手段と、分娩進行度合いに対応した音響データ、映像データ及び照明データを記録する制御データ記録手段と、進行解析手段で解析した分娩進行度合いに応じ、音響データ、映像データ及び照明データに基づいて音響出力手段、映像出力手段及び照明出力手段を制御する制御手段とを備えている。【選択図】  図１
2005143835.tif 000002
【特許請求の範囲】
【請求項１】
妊婦の分娩監視情報を取得する情報取得手段と、
取得した分娩監視情報から分娩の進行度合いを解析する進行解析手段と、
分娩室に音響を発生する音響出力手段と、
分娩台の上面に映像を投影する映像出力手段と、
分娩台の左右側面を照明する照明出力手段と、
分娩進行度合いに対応した音響データ、映像データ及び照明データを記録する制御データ記録手段と、
進行解析手段で解析した分娩進行度合いに応じ、制御データ記録手段で記録した音響データ、映像データ及び照明データに基づいて、音響出力手段、映像出力手段及び照明出力手段で出力する音響、映像及び照明を制御する制御手段と
を備えている分娩サポートシステム。
【請求項２】
分娩台の左右側面及び上面が半円筒状に形成されている請求項１に記載の分娩サポートシステム。
【請求項３】
分娩台の正面から散点光を照射する散点光出力手段をさらに備えている請求項１又は請求項２に記載の分娩サポートシステム。
【請求項４】
分娩室に香りを発散する香り発生手段をさらに備えている請求項１、請求項２又は請求項３に記載の分娩サポートシステム。
【請求項５】
分娩室内の空気を調節する空調手段をさらに備えている請求項１から請求項４のいずれか１項に記載の分娩サポートシステム。
【請求項６】
上記情報取得手段で取得した妊婦の分娩監視情報を蓄積する個人データ記録手段をさらに備えている請求項１から請求項５のいずれか１項に記載の分娩サポートシステム。
【請求項７】
上記散点光出力手段が、
一端が分娩室の正面壁表面に突設され、正面壁全面に略均一に配設される複数の光ファイバーと、
これらの光ファイバーの他端側に配設される照光部と、
正面壁表面に貼設されるミラーフィルムと、
正面壁の表面側に平行に配設される透明ガラス板と、
この透明ガラス板の裏面に貼設されるハーフミラーフィルムと、
透明ガラス板の表面に貼設されるホログラムフィルムと
を備えている請求項３から請求項６のいずれか１項に記載の分娩サポートシステム。
【請求項８】
上記情報取得手段で取得する分娩監視情報が少なくとも分娩監視装置の測定情報である請求項１から請求項７のいずれか１項に記載の分娩サポートシステム。
【発明の詳細な説明】
【技術分野】
【０００１】
本発明は、分娩を支援する分娩サポートシステムに関し、詳細にはラマーズ法、リーブ法、ソフロロジー法等による分娩の容易化を促進する分娩サポートシステムに関するものである。
【背景技術】
【０００２】
今日では、分娩、特に陣痛時の痛みを和らげるラマーズ法、リーブ法、ソフロロジー法等の分娩法が普及している。これらの分娩法は、リラックスや意識コントロールを必要とし、分娩前にトレーニング（エクササイズ）を行っても容易ではない。
【０００３】
かかる分娩法をサポートする装置としては、従来、特開２０００−９３４３３に開示の分娩支援装置が開発されている。当該分娩支援装置は、妊婦の心拍数や陣痛圧等の身体状態を計測するための身体状態計測手段と、この身体状態計測手段によって計測した身体状態に応じて音声及び照明を選択する音声選択手段及び照明選択手段と、この音声選択手段及び照明選択手段によって選択された音声及び照明を出力するための音声出力手段及び照明出力手段とを備えている。
【０００４】
上記従来の分娩支援装置は、身体状態計測手段、音声選択手段及び照明選択手段、並びに音声出力手段及び照明出力手段を備え、身体状態に応じてラマーズ法等に適切な音声及び照明を出力するものである。
【特許文献１】特開２０００−９３４３３
【発明の開示】
【発明が解決しようとする課題】
【０００５】
上記従来の分娩支援装置は、単に音声出力手段により分娩室に音声を流し、照明出力手段（間接照明）により分娩室の壁面を部分的に照明するものであるため、妊婦をリラックス状態や意識コントロール状態に導く効果が小さく、陣痛等の痛みを緩和する程度があまり高くない。
【０００６】
また、上記従来の分娩支援装置は、身体状態計測手段で計測する妊婦の身体状態が心拍数や陣痛圧であるため、分娩進行度合いが通常時、陣痛時及び出産後程度の判別しかできず、コンピュータを用いて音声及び照明を分娩進行度合いに合わせて綿密に制御することが困難である。そのため、上記従来の分娩支援装置では、助産婦や医師が身体状態計測手段で計測する妊婦の身体状態データを参照しつつ妊婦を実際に観察し、操作スイッチにより音声及び照明を切り替える必要がある。
【０００７】
本発明はこれらの不都合に鑑みてなされたものであり、妊婦をリラックス状態や意識コントロール状態に導く効果が大きく、ラマーズ法、リーブ法、ソフロロジー法等による分娩の容易化が格段に促進され、さらにコンピュータによる自動制御が可能な分娩サポートシステムの提供を目的とするものである。
【課題を解決するための手段】
【０００８】
上記課題を解決するためになされた発明は、（ａ）妊婦の分娩監視情報を取得する情報取得手段と、（ｂ）取得した分娩監視情報から分娩の進行度合いを解析する進行解析手段と、（ｃ）分娩室に音響を発生する音響出力手段と、（ｄ）分娩台の上面に映像を投影する映像出力手段と、（ｅ）分娩台の左右側面を照明する照明出力手段と、（ｆ）分娩進行度合いに対応した音響データ、映像データ及び照明データを記録する制御データ記録手段と、（ｇ）進行解析手段で解析した分娩進行度合いに応じ、制御データ記録手段で記録した音響データ、映像データ及び照明データに基づいて、音響出力手段、映像出力手段及び照明出力手段で出力する音響、映像及び照明を制御する制御手段とを備えている分娩サポートシステムである。
【０００９】
当該分娩サポートシステムは、情報取得手段によって分娩に際した妊婦の分娩監視情報を取得し、進行解析手段によって分娩監視情報から分娩の進行度合いを解析し、制御手段によって分娩進行度合いに対応した音響データ、映像データ及び照明データに基づいて音響出力手段、映像出力手段及び照明出力手段で出力する音響、映像及び照明を制御する。従って、当該分娩サポートシステムは、妊婦の分娩の進行度合いに応じ、分娩室の音響、分娩台の上面に投影する映像、及び分娩台の左右側面の照明、つまり妊婦が感知する分娩室環境の主構成要素をリラックス状態や意識コントロール状態に導き易い状態に制御し、ラマーズ法、リーブ法、ソフロロジー法等による分娩の容易化を格段に促進することができる。
【００１０】
当該分娩サポートシステムにおいて、分娩台の左右側面及び上面を半円筒状に形成するとよい。このように分娩室を分娩台と平行な半円筒のドーム状空間とし、このドーム状空間の上方に映像を投影し、ドーム状空間の左右両側を照明することで、分娩台上の妊婦周辺がより幻想的な空間となり、リラックス状態や意識コントロール状態へ妊婦をより容易に導くことができる。
【００１１】
また、分娩台の正面から散点光を照射する散点光出力手段をさらに備えるとよい。このように散点光出力手段を備えることで、分娩台の正面を散点照明ウォールとし、分娩室空間の妊婦から見える殆ど全ての視覚的構成要素及び聴覚的構成要素を制御でき、恰も幻想的な異空間に居るかのように演出し、リラックス状態や意識コントロール状態へ妊婦をさらに容易に導くことができる。
【００１２】
さらに、分娩室に香りを発散する香り発生手段、又は分娩室内の空気を調節する空調手段をさらに備えるとよい。ここで、「調節」とは、空気を清浄にし、温度や湿度などを必要な状態に調節することに加え、マイナスイオン等を発散させることも意味する。かかる香り発生手段や空調手段を備えることで、分娩室空間の嗅覚的構成要素も制御でき、妊婦のリラックス化や意識コントロールの容易化をさらに促進することができる。
【００１３】
また当該分娩サポートシステムは、上記情報取得手段で取得した妊婦の分娩監視情報を蓄積する個人データ記録手段をさらに備えるとよい。このように個人データ記録手段を備えることで、多数の妊婦の分娩監視情報を蓄積することができ、進行解析手段による分娩の進行度合いの解析精度を高め、制御手段による音響、映像及び照明の制御の自動化が促進される。
【００１４】
上記散点光出力手段としては、（ア）一端が分娩室の正面壁表面に突設され、正面壁全面に略均一に配設される複数の光ファイバーと、（イ）これらの光ファイバーの他端側に配設される照光部と、（ウ）正面壁表面に貼設されるミラーフィルムと、（エ）正面壁の表面側に平行に配設される透明ガラス板と、（オ）この透明ガラス板の裏面に貼設されるハーフミラーフィルムと、（カ）透明ガラス板の表面に貼設されるホログラムフィルムとを備えるとよい。この手段によれば、正面壁表面に突設される複数の光ファイバー端部から照射した光線はハーフミラーフィルムにより一部が透過し、一部が反射する。ハーフミラーフィルムで反射した光線は正面壁表面に貼設されるミラーフィルムで反射し、再度ハーフミラーフィルムにより一部が透過し、一部が反射する。これを繰り返し、透過した光線はホログラムフィルムによって干渉模様が付加される。その結果、散点光出力手段で正面から照射される光線は、光ファイバーの一端位置の中心点光と、その中心点光から放射状に規則正しく分散し、分散するに従って光量が漸減する分散光とからなり、さらに干渉模様（虹模様等）が付加される。そのため、正面の奥行きが無限遠になるよう錯視され、分娩室をさらに幻想的な仮想空間とすることができる。
【００１５】
上記情報取得手段で取得する分娩監視情報としては、少なくとも分娩監視装置の測定情報が好ましい。このように少なくとも分娩監視装置の測定情報を取得することで、進行解析手段による分娩の進行度合いの解析が比較的詳細かつ高精度になり、分娩の進行度合いに応じて綿密かつ適切に音響、映像及び照明を制御することができ、妊婦のリラックス化や意識コントロールの容易化をさらに促進することができる。
【発明の効果】
【００１６】
以上説明したように、本発明の分娩サポートシステムによれば、分娩室空間の聴覚的構成要素、視覚的構成要素及び嗅覚的構成要素を制御し、妊婦をリラックス状態や意識コントロール状態に効果的に導くことができる。また、当該分娩サポートシステムによれば、妊婦が事前に分娩室空間の聴覚的構成要素、視覚的構成要素及び嗅覚的構成要素を制御した分娩シミュレーション（分娩学習プログラム）が可能であり、各妊婦が事前に自分に合った分娩プログラムを創出することができる。その効果、当該分娩サポートシステムは、ラマーズ法、リーブ法、ソフロロジー法等による分娩の容易化を飛躍的に促進することができる。さらに、当該分娩サポートシステムによれば、コンピュータによる監視、制御の自動化が促進され、分娩時の事故の低減化に寄与する。
【発明を実施するための最良の形態】
【００１７】
以下、適宜図面を参照しつつ本発明の実施の形態を詳説する。図１は本発明の一実施形態に係る分娩サポートシステムの構成を示すブロック図、図２は図１の分娩サポートシステムを備える分娩室を示す斜視図、図３は図１の分娩サポートシステムを構成する散点光出力手段を示す模式的部分側面図、図４は図３の散点光出力手段による光線照射状態を示す模式的正面図である。
【００１８】
図１の分娩サポートシステムは、測定機器１、情報取得手段２、進行解析手段３、制御データ記録手段４、個人データ記録手段５、制御手段６、音響出力手段７、映像出力手段８、照明出力手段９、散点光出力手段１０、香り発生手段１１及び空調手段１２を備えている。
【００１９】
当該分娩サポートシステムは、具体的には、ＣＰＵなどからなる制御部、ＲＯＭ、ＲＡＭ、ハードディスク、モニター、キーボードなどを備えるコンピューターと、このコンピューターに接続される複数のデバイスとから構成されている。このコンピューターは、ＲＯＭ、ハードディスクに記憶されているコンピュータプログラムに基づいて制御部が各部を制御することで上記情報取得手段２、進行解析手段３、制御データ記録手段４、個人データ記録手段５及び制御手段６として機能するよう構成されている。一方、複数のデバイスは、測定機器１、音響出力手段７、映像出力手段８、照明出力手段９、散点光出力手段１０、香り発生手段１１及び空調手段１２として機能するよう構成されている。
【００２０】
当該分娩サポートシステムは分娩室に備えられる。当該分娩サポートシステムを備える分娩室２１は、図２に示すように、分娩台２２、補助分娩台２３、照明設備、その他に分娩室に通常備える設備を備えており、加えて当該分娩サポートシステムを備えている。この分娩室２１は、分娩台２２の左右側面２４及び上面２５が半円筒状とされ、ドーム状空間とされている。
【００２１】
測定機器１は、妊婦の身体状態を計測し、分娩監視情報を得るためのものであり、具体的には陣痛計、握力計、脳波計、呼吸状況監視装置、血圧計、心拍計、分娩監視装置などが挙げられる。測定機器１としては、分娩の進行度合いの解析精度を向上する観点からより多くの監視装置を備えることが好ましいが、少なくとも分娩監視装置を備えるとよい。少なくとも分娩監視装置の測定情報を取得することで、後述する進行解析手段３による分娩の進行度合いの解析が比較的詳細かつ高精度になる。
【００２２】
情報取得手段２は、測定機器１で測定した妊婦の分娩監視情報を取得する。具体的には情報取得手段２は、測定機器１から発信される測定データ信号を上記コンピューターに取得する。
【００２３】
進行解析手段３は、情報取得手段２で取得した分娩監視情報から分娩の進行度合いを解析する。この進行解析手段３で解析する分娩の進行度合いとしては、（ａ）初期の通常時及び発作時、（ｂ）中期の通常時及び発作時、（ｃ）極期の通常時及び発作時、（ｄ）分出時、及び（ｅ）分出後が挙げられる。かかる分娩の進行度合いを解析することで、分娩室の音響、分娩台の上面に投影する映像、及び分娩台の左右側面の照明、つまり分娩室環境の主構成要素を妊婦がリラックス状態や意識コントロール状態に導き易い状態に制御することができる。
【００２４】
制御データ記録手段４は、分娩進行度合いに対応した音響データ、映像データ及び照明データを記録する。この音響データ、映像データ及び照明データとしては、妊婦のリーブ法等による分娩の容易化を促進するようカラーセラピー、ヒーリング等の要素を基に選択構成される。また、事前の分娩シミュレーションを通じて各妊婦が自分に合った分娩プログラムを前もって創出し、制御データ記録手段４で記録された音響データ、映像データ及び照明データの中から各妊婦が適宜選択することも可能である。
【００２５】
個人データ記録手段５は、情報取得手段２で取得した妊婦の分娩監視情報を記録し、蓄積する。個人データ記録手段５で多くの妊婦の分娩監視情報を蓄積することで、進行解析手段３による分娩の進行度合いの解析において蓄積した分娩監視情報が参照でき、解析精度を向上することができる。
【００２６】
音響出力手段７は、分娩室２１に音響を発生するものである。この音響出力手段７としては、具体的にはスピーカー２６、音響コントロール装置（アンプ等を含む）等を備えている。
【００２７】
映像出力手段８は、分娩台２２の上面２５（ドーム状空間の上壁面）に映像を投影するものである。この映像出力手段８としては、具体的にはプロジェクター２７、投影コントロール装置等を備えている。
【００２８】
照明出力手段９は、分娩台２２の左右側面２４（ドーム状空間の左右の側壁面）を照明（間接照明）するものである。この照明出力手段９としては、具体的には左右側面２４の下方の凹条部２８内に付設されるＬＥＤ等の照明装置、発光コントロール装置等を備えている。
【００２９】
散点光出力手段１０は、分娩台２２の半円形の正面２９から散点光を照射し、正面２９を散点照明ウォールとするものである。この散点光出力手段１０で照射する光線の色調や強弱は、特に限定されるものではないが、映像出力手段８で投影する映像に同調させることが好ましく、映像と同様の光線が特に好ましい。これにより、映像出力手段８で投影される上面２５の映像と当該散点光出力手段１０で照射される正面２９の散点光とを同調させることができ、分娩室２１をより幻想的な空間とすることができる。
【００３０】
散点光出力手段１０は、図３に示すように分娩室２１の半円形の正面壁３３部分に設けられており、具体的には複数の光ファイバー３０、照光部３４、ミラーフィルム３５、透明ガラス板３６、ハーフミラーフィルム３７及びホログラムフィルム３８を備えている。複数の光ファイバー３０の一端３９は、正面壁３３表面に突設され、正面壁３３全面に略均一に配設されている。一方、複数の光ファイバー３０の他端４０は、集束され、照光部３４の光線照射位置に配設されている。照光部３４は、光ファイバー３０の他端４０に所定の光線を照射可能に構成されている。ミラーフィルム３５は、表面に光線反射機能を有するものであり、正面壁３３表面（光ファイバー３０の一端３９以外の領域）に貼設されている。透明ガラス板３６は、正面壁３３の表面側に平行に配設されている。ハーフミラーフィルム３７は、光線の透過機能と反射機能とを併有するものであり、透明ガラス板３６の裏面に貼設されている。ホログラムフィルム３８は、透過光線を干渉させる機能を有するものであり、透明ガラス板３６の表面に貼設されている。
【００３１】
当該散点光出力手段１０によれば、複数の光ファイバー３０の一端３９から射出した光線はハーフミラーフィルム３７で一部が透過し、一部が反射する。このようにハーフミラーフィルム３７で反射して光線はミラーフィルム３５で表面側へ反射し、再度ハーフミラーフィルム３７により一部が透過し、一部が反射する。かかる反射及び透過を繰り返す。ハーフミラーフィルム３７を透過した光線はホログラムフィルム３８によって干渉模様が付加される。従って、散点光出力手段１０で正面２９から照射される光線は、図４に示すように、光ファイバー３０の一端３９位置の中心点光と、その中心点光から放射状に規則正しく分散し、分散するに従って光量が漸減する分散光とからなり、さらに干渉模様（虹模様等）が付加される。そのため、正面の奥行きが無限遠になるよう錯視され、分娩室をさらに幻想的な仮想空間とすることができる。
【００３２】
香り発生手段１１は、分娩室２１に香りを発散するものである。この香り発生手段１１としては、具体的には香り発生装置３１を備えている。この香り発生装置３１は、具体的には容器に入れられた香水、この香水を毛細管現象により導出する綿材、この綿材にしみ込んだ香水を揮発させて外部に放出するファン等を備えている。この香り発生手段１１で発散する香りの種類としては、妊婦に対する最新のアロマセラピーに基づき分娩時に適した香りを選択するとよく、具体的には（１）ストレス解消効果を有するとされる柑橘系の香り、（２）空間全体を緊張感のない柔らかな環境とし、スムーズな分娩を促すとされるジャスミン系の香り、（３）鎮静効果及びリラックス効果があるとされるラベンダー系の香り、（４）分娩時に効果的とされるクラリームージ系の香りなどが好適に使用される。
【００３３】
空調手段１２は、分娩室２１内の空気を調節するものである。この空調手段１２としては、具体的には空調装置３２を備えている。この空調装置３２は、分娩室２１内の空気を清浄化できれば特に限定されず公知の種々のものが採用され、特にリラックス効果があるとされるマイナスイオン発生機能を有するものが好ましい。
【００３４】
制御手段６は、進行解析手段３で解析した分娩進行度合いに応じ、制御データ記録手段４で記録した音響データ、映像データ及び照明データに基づいて、音響出力手段７、映像出力手段８及び照明出力手段９で出力する音響、映像及び照明を制御する。
【００３５】
上記構造の当該分娩サポートシステムは、分娩室２１の音響、分娩台２２の上面２５に投影する映像、及び分娩台２２の左右側面２４の照明、分娩台２２の正面２９の散点光照射を妊婦の分娩の進行度合いに応じて制御し、分娩室２１内の香り及び空気調節を制御することができる。また当該分娩サポートシステムは、分娩室２１空間の聴覚的構成要素、視覚的構成要素及び嗅覚的構成要素を制御した分娩シミュレーションを通じ、各妊婦が事前に自分に合った分娩プログラムを創出することができる。換言すると、当該分娩サポートシステムは、分娩室２１環境の主構成要素を妊婦がリラックス状態や意識コントロール状態に導き易い状態に制御し、ラマーズ法、リーブ法、ソフロロジー法等による分娩の容易化を格段に促進することができる。
【００３６】
次に、制御手段６により音響出力手段７、映像出力手段８及び照明出力手段９で出力する音響、映像及び照明を制御する方法の一例について説明する。照明出力手段９で出力する照明に関しては、分娩初期は癒し効果があるとされるライムグリーン色（固定）、中期の通常時はオレンジイエロー色（固定）、中期の発作時は赤色（呼吸の強弱に合わせてチェイス）、極期の通常時はブルー色（固定）、極期の発作時は赤色（呼吸の強弱に合わせてチェイス）、分出時はフェードインで光の氾濫をイメージするような白色、分出後は幸福感を有するピンク色からクールダウンを促進する淡いブルー色に移行（映像と同期）するよう制御するとよい。
【００３７】
音響出力手段７で出力する音響に関しては、分娩初期から極期までは癒し系音楽、中期の発作時及び極期はその音楽に呼吸促進音を付加したもの、分出時は無音、分出後は祝福をイメージする音楽に制御するとよい。
【００３８】
映像出力手段８で出力する映像に関しては、初期及び中期は１／ｆゆらぎ効果等で妊婦をリラックス状態に導く海岸（波）、草原等のヒーリング映像、極期は気分を盛り上げていくレッドゾーン用映像、分出時はフェードインで光の氾濫をイメージするような真っ白の映像、分出後は幸福感を有するピンク系色調のヒーリング映像からクールダウンを促進する淡いブルー系色調のヒーリング映像に移行するよう制御するとよい。
【００３９】
なお、本発明の光拡散シートは上記実施形態に限定されるものではない。例えば音響出力手段７、映像出力手段８、照明出力手段９及び香り発生手段１１としては、上記実施形態に限定されるものではなく、音響の発生、映像の投影、照明及び香り発生作用が奏される公知の種々の手段が採用される。
【産業上の利用可能性】
【００４０】
以上のように、本発明の分娩サポートシステムは、特に陣痛時の痛みを和らげるラマーズ法、リーブ法、ソフロロジー法等の分娩法を推進、実践する産院の分娩設備として有用である。
【図面の簡単な説明】
【００４１】
【図１】本発明の一実施形態に係る分娩サポートシステムの構成を示すブロック図である。
【図２】図１の分娩サポートシステムを備える分娩室を示す斜視図である。
【図３】図１の分娩サポートシステムを構成する散点光出力手段を示す模式的部分側面図である。
【図４】図１の分娩サポートシステムを構成する散点光出力手段による光線照射状態を示す模式的正面図である。
【符号の説明】
【００４２】
１  測定機器
２  情報取得手段
３  進行解析手段
４  制御データ記録手段
５  個人データ記録手段
６  制御手段
７  音響出力手段
８  映像出力手段
９  照明出力手段
１０  散点光出力手段
１１  香り発生手段
１２  空調手段
２１  分娩室
２２  分娩台
２３  補助分娩台
２４  左右側面
２５  上面
２６  スピーカー
２７  プロジェクター
２８  凹条部
２９  正面
３０  光ファイバー
３１  香り発生装置
３２  空調装置
３３  正面壁
３４  照光部
３５  ミラーフィルム
３６  透明ガラス板
３７  ハーフミラーフィルム
３８  ホログラムフィルム
３９  一端
４０  他端
【図１】
2005143835.tif 000003
【図２】
2005143835.tif 000004
【図３】
2005143835.tif 000005
【図４】
2005143835.tif 000006